(57)【特許請求の範囲】
【請求項１】
所定の出力装置で出力される出力画像を、原画像データに基づいて作成された目標出力画像にカラーマッチングさせる画像データ変換方法であって、
（ａ）前記原画像データを、デバイス・インディペンデントな色空間で表現されたデバイス・インディペンデント画像データに変換する工程と、
（ｂ）前記デバイス・インディペンデント画像データを、前記出力装置で使用されるデバイス・ディペンデントな色空間で表現されたデバイス・ディペンデント画像データに変換する工程と、
（ｃ）前記デバイス・ディペンデント画像データに対して、前記目標出力画像を作成する際に実行される鮮鋭度強調のパラメータ値とは異なるパラメータ値を用いて前記目標出力画像を作成する際に実行される鮮鋭度強調と視覚的に等価な効果を与える鮮鋭度強調を実行することによって、出力用画像データを作成する工程と、
を備えることを特徴とする画像データ変換方法。
【請求項２】
所定の出力装置で出力される出力画像を、原画像データに基づいて作成された目標出力画像にカラーマッチングさせる画像データ変換装置であって、
前記原画像データを、デバイス・インディペンデントな色空間で表現されたデバイス・インディペンデント画像データに変換する変換手段と、
前記デバイス・インディペンデント画像データを、前記出力装置で使用されるデバイス・ディペンデントな色空間で表現されたデバイス・ディペンデント画像データに変換する逆変換手段と、
前記デバイス・ディペンデント画像データに対して、前記目標出力画像を作成する際に実行される鮮鋭度強調のパラメータ値とは異なるパラメータ値を用いて前記目標出力画像を作成する際に実行される鮮鋭度強調と視覚的に等価な効果を与える鮮鋭度強調を実行することによって、出力用画像データを作成する鮮鋭度強調手段と、
を備えることを特徴とする画像データ変換装置。
【請求項３】
第１と第２の出力装置でそれぞれ出力される第１と第２の出力画像をカラーマッチングさせる画像データ変換装置であって、
原画像データを、デバイス・インディペンデントな色空間で表現されたデバイス・インディペンデント画像データに変換する変換手段と、
前記デバイス・インディペンデント画像データを、前記第１の出力装置で使用されるデバイス・ディペンデントな第１の色空間で表現された第１のデバイス・ディペンデント画像データに変換する第１の逆変換手段と、
前記デバイス・インディペンデント画像データを、前記第２の出力装置で使用されるデバイス・ディペンデントな第２の色空間で表現された第２のデバイス・ディペンデント画像データに変換する第２の逆変換手段と、
前記第１のデバイス・ディペンデント画像データに対して鮮鋭度強調を実行することによって、第１の出力用画像データを作成する第１の鮮鋭度強調手段と、
前記第２のデバイス・ディペンデント画像データに対して、前記第１の鮮鋭度強調手段のパラメータ値とは異なるパラメータ値を用いて前記第１の鮮鋭度強調手段と視覚的に等価な効果を与える鮮鋭度強調を実行することによって、第２の出力用画像データを作成する第２の鮮鋭度強調手段と、
を備えることを特徴とする画像データ変換装置。
【請求項４】
請求項３記載の画像データ変換装置であって、さらに、
前記第１の鮮鋭度強調手段における鮮鋭度強調パラメータが変更されたときに、これに応じて前記第２の鮮鋭度強調手段における鮮鋭度強調パラメータを調整することによって、前記第１と第２の鮮鋭度強調処理の視覚的な効果を等価に保つパラメータ変換手段、
を備える画像データ変換装置。
【請求項５】
第１と第２の出力装置でそれぞれ出力される第１と第２の出力画像をカラーマッチングさせる画像データ変換方法であって、
（ａ）前記原画像データを、デバイス・インディペンデントな色空間で表現されたデバイス・インディペンデント画像データに変換する工程と、
（ｂ）前記デバイス・インディペンデント画像データを、前記第１の出力装置で使用されるデバイス・ディペンデントな第１の色空間で表現された第１のデバイス・ディペンデント画像データに変換する工程と、
（ｃ）前記デバイス・インディペンデント画像データを、前記第２の出力装置で使用されるデバイス・ディペンデントな第２の色空間で表現された第２のデバイス・ディペンデント画像データに変換する工程と、
（ｄ）前記第１のデバイス・ディペンデント画像データに対して鮮鋭度強調を実行することによって、第１の出力用画像データを作成する第１の鮮鋭度強調工程と、
（ｅ）前記第２のデバイス・ディペンデント画像データに対して鮮鋭度強調を実行することによって、第２の出力用画像データを作成する第２の鮮鋭度強調工程と、
（ｆ）前記第１の出力用画像データに基づいて第１の出力画像を出力する工程と、
（ｇ）前記第２の出力用画像データに基づいて第２の出力画像を出力する工程と、
（ｈ）前記第１の出力画像と前記第２の出力画像とを比較し両者の一致度を調べる工程と、
（ｉ）前記第１及び第２の出力画像の一致度が満足できないものであるときは、前記第２のデバイス・ディペンデント画像データに対する鮮鋭度強調パラメータを修正する工程と、
（ｊ）前記修正された鮮鋭度強調パラメータを前記第２のデバイス・ディペンデント画像データに対して実行することにより、前記第１の出力画像を作成する際に実行される鮮鋭度強調のパラメータ値とは異なるパラメータ値を用いて前記第１の出力画像を作成する際に実行される鮮鋭度強調と視覚的に等価な効果を与える鮮鋭度強調を前記第２のデバイス・ディペンデント画像データに実行して前記第２の出力用画像データを再作成する工程と、
を備えることを特徴とする画像データ変換方法。
【発明の詳細な説明】
【０００１】
【発明の属する技術分野】
この発明は、２種類の出力画像をカラーマッチングさせる画像データ変換方法および画像データ変換装置に関する。
【０００２】
【従来の技術】
印刷製版の分野においては、最終的な印刷を実行するまえに、いわゆる校正刷りを行なって印刷物の良否を確認している。近年では、校正刷りを行なう代わりに、カラープリンタやカラーディスプレイ等の種々の出力装置を用いて校正する方法が採用されている。カラー画像の出力装置としては、カラープリンタやカラーディスプレイ等の種々のものがある。
【０００３】
【発明が解決しようとする課題】
しかし、従来は、カラープリンタやカラーディスプレイ等の出力装置で出力される画像と、印刷物の画像との一致度が十分でなく、このため、校正のための手段として必ずしも満足できるものではないという問題があった。このような画像再現の一致度の問題は、異なる出力装置（または出力システム）で出力される２種類の出力画像に関して共通する問題であった。
【０００４】
この発明は、従来技術における上述の課題を解決するためになされたものであり、２種類の出力画像の画像再現の一致度を従来に比べて向上させることを目的とする。
【０００５】
【課題を解決するための手段およびその作用・効果】
上述の課題の少なくとも一部を解決するため、第１の発明は、所定の出力装置で出力される出力画像を、原画像データに基づいて作成された目標出力画像にカラーマッチングさせる画像データ変換方法であって、
（ａ）前記原画像データを、デバイス・インディペンデントな色空間で表現されたデバイス・インディペンデント画像データに変換する工程と、
（ｂ）前記デバイス・インディペンデント画像データを、前記出力装置で使用されるデバイス・ディペンデントな色空間で表現されたデバイス・ディペンデント画像データに変換する工程と、
（ｃ）前記デバイス・ディペンデント画像データに対して、前記目標出力画像を作成する際に実行される鮮鋭度強調と等価な鮮鋭度強調を実行することによって、出力用画像データを作成する工程と、
を備えることを特徴とする。
【０００６】
デバイス・ディペンデント画像データに対して、目標出力画像を作成する際に実行される鮮鋭度強調と等価な鮮鋭度強調を実行することにより、所定の出力装置で出力される出力画像の鮮鋭度を、目標出力画像の鮮鋭度とほぼ一致させることができる。この結果、２種類の出力画像の画像再現の一致度を従来に比べて向上させることができる。なお、デバイス・インディペンデントな色空間としては、ＣＩＥ−ＸＹＺ表色系、ＣＩＥ−Ｌ* ａ* ｂ* 表色系、ＣＩＥ−Ｌ* ｕ* ｖ* 表色系等を用いることが可能である。また、デバイス・ディペンデントな色空間としては、ＲＧＢ表色系、ＹＭＣＫ表色系、ＹＵＶ表色系（ＹＣｒＣｂ表色系）等を用いることが可能である。
【０００７】
第２の発明は、所定の出力装置で出力される出力画像を、原画像データに基づいて作成された目標出力画像にカラーマッチングさせる画像データ変換装置であって、
前記原画像データを、デバイス・インディペンデントな色空間で表現されたデバイス・インディペンデント画像データに変換する変換手段と、
前記デバイス・インディペンデント画像データを、前記出力装置で使用されるデバイス・ディペンデントな色空間で表現されたデバイス・ディペンデント画像データに変換する逆変換手段と、
前記デバイス・ディペンデント画像データに対して、前記第２の出力画像を作成する際に実行される鮮鋭度強調と等価な鮮鋭度強調を実行することによって、出力用画像データを作成する鮮鋭度強調手段と、
を備えることを特徴とする。
【０００８】
第３の発明は、第１と第２の出力装置でそれぞれ出力される第１と第２の出力画像をカラーマッチングさせる画像データ変換装置であって、
原画像データを、デバイス・インディペンデントな色空間で表現されたデバイス・インディペンデント画像データに変換する変換手段と、
前記デバイス・インディペンデント画像データを、前記第１の出力装置で使用されるデバイス・ディペンデントな第１の色空間で表現された第１のデバイス・ディペンデント画像データに変換する第１の逆変換手段と、
前記デバイス・インディペンデント画像データを、前記第２の出力装置で使用されるデバイス・ディペンデントな第２の色空間で表現された第２のデバイス・ディペンデント画像データに変換する第２の逆変換手段と、
前記第１のデバイス・ディペンデント画像データに対して鮮鋭度強調を実行することによって、第１の出力用画像データを作成する第１の鮮鋭度強調手段と、前記第２のデバイス・ディペンデント画像データに対して、前記第１の鮮鋭度強調手段と等価な鮮鋭度強調を実行することによって、第２の出力用画像データを作成する第２の鮮鋭度強調手段と、
を備えることを特徴とする。
【０００９】
第１と第２の出力用画像データを作成する際に、互いに等価な鮮鋭度強調処理を実行するので、第１と第２の出力画像の画像再現の一致度を従来に比べて向上させることができる。
【００１０】
上記第３の発明による画像データ変換装置は、さらに、
前記第１の鮮鋭度強調手段における鮮鋭度強調パラメータが変更されたときに、これに応じて前記第２の鮮鋭度強調手段における鮮鋭度強調パラメータを調整することによって、前記第１と第２の鮮鋭度強調処理の効果を等価に保つパラメータ変換手段、を備えることが好ましい。
【００１１】
こうすれば、第１の出力画像に関して鮮鋭度強調処理を変更した場合にも、それと等価な鮮鋭度強調処理を第２の出力画像に対して行なうことができる。
【００１２】
【発明の他の態様】
この発明は、以下のような他の態様も含んでいる。第１の態様は、コンピュータシステムのマイクロプロセッサによって実行されることによって所定の出力装置で出力される出力画像を、目標出力画像にカラーマッチングさせるソフトウェアプログラムを格納した携帯型記憶媒体であって、
（ａ）原画像データを、デバイス・インディペンデントな色空間で表現されたデバイス・インディペンデント画像データに変換する工程と、
（ｂ）前記デバイス・インディペンデント画像データを、前記出力装置で使用されるデバイス・ディペンデントな色空間で表現されたデバイス・ディペンデント画像データに変換する工程と、
（ｃ）前記デバイス・ディペンデント画像データに対して、前記目標出力画像を作成する際に実行される鮮鋭度強調と等価な鮮鋭度強調を実行することによって、出力用画像データを作成する工程と、
を備える画像データ変換方法を実行するソフトウェアプログラムを格納することを特徴とする。
【００１３】
なお、この発明は、さらに、コンピュータシステムのマイクロプロセッサによって実行されることによって上記の第２または第３の発明を実現するソフトウェアプログラムを格納した携帯型記憶媒体としても実現することができる。
【００１４】
【発明の実施の形態】
次に、本発明の実施の形態を実施例に基づき説明する。図１は、この発明の第１実施例である画像処理システムの構成を示すブロック図である。この画像処理システムは、読取スキャナ１０と、画像処理装置２０と、カラーモニタ３０と、フィルム出力機４０と、を備えている。画像処理装置２０は、色変換部５２と、階調変換部５４と、モニタ用逆色変換部５６と、モニタ用鮮鋭度強調部５８と、印刷用逆色変換部６０と、印刷用鮮鋭度強調部６２と、パラメータ変換部６４とを備えている。
【００１５】
読取スキャナ１０は、カラー原稿を読み取ってＲＧＢ表色系で表現された原画像データＲ0 Ｇ0 Ｂ0 を生成し、画像処理装置２０に供給する。画像処理装置２０は、原画像データＲ0 Ｇ0 Ｂ0 に対して、後述するような種々の変換を行なって、カラーモニタ３０に供給するＲＧＢ表色系の第１の出力画像データＲm'Ｇm'Ｂm'と、フィルム出力機４０に供給するＹＭＣＫ表色系の第２の出力画像データＹp'Ｍp'Ｃp'Ｋp'とを生成する。カラーモニタ３０は、第１の出力画像データＲm'Ｇm'Ｂm'に従ってカラー画像を表示する。一方、フィルム出力機４０は、第２の出力画像データＹp'Ｍp'Ｃp'Ｋp'に従って、イエロー（Ｙ）、マゼンタ（Ｍ）、シアン（Ｃ）、ブラック（Ｋ）の４つの製版フィルム（色分解網フィルム）を作成する。これらの製版フィルムは、図示しない露光装置で露光されて４色用の刷版が作成され、これらの刷版を用いてカラー印刷物が印刷される。なお、製版フィルムを作成するフィルム出力機４０の代わりに、出力画像データＹp'Ｍp'Ｃp'Ｋp'から直接に刷版を作成するダイレクト・プレートメーキング装置を用いることも可能である。
【００１６】
画像処理装置２０は、このカラー印刷物を目標出力画像として、カラーモニタ３０に表示されるカラー画像のカラーマッチングを行なうように、下記のような種々の変換を実行する。
【００１７】
色変換部５２は、読取スキャナ１０から与えられたＲＧＢ表色系の原画像データＲ0 Ｇ0 Ｂ0 を、デバイス・インディペンデントな表色系であるＣＩＥ−ＸＹＺ表色系のデバイス・インディペンデント画像データＸ0 Ｙ0 Ｚ0 に変換する。ここで、「デバイス・インディペンデントな表色系」とは、出力装置に依存しない色表現を与える表色系である。一方、各出力装置で使用されている表色系（ＲＧＢ表色系やＹＭＣＫ表色系）は、それぞれの出力装置特有の色表現を与える表色系である。従って、デバイス・インディペンデントな表色系で表現された色は、各出力装置で使用されるデバイス・ディペンデントな表色系に逆変換することによって、各出力装置に適した色表現を行なうことができる。
【００１８】
階調変換部５４は、デバイス・インディペンデント画像データＸ0 Ｙ0 Ｚ0 の階調を変換することによって、カラー原稿の色再現範囲を、印刷物で再現可能な色の範囲に圧縮する。一般に、印刷物は写真等のカラー原稿に比べて色再現範囲が狭いので、このような階調変換部５４が必要になる。階調変換部５４で作成されたデバイス・インディペンデントな画像データＸ1 Ｙ1 Ｚ1 は、モニタ用逆色変換部５６と印刷用逆色変換部６０とに供給される。なお、モニタ用逆色変換部５６や印刷用逆色変換部６０に供給する前に、デバイス・インディペンデント画像データＸ1 Ｙ1 Ｚ1 に対して色修正やレタッチ等の種々の画像処理を行なうようにすることも可能である。
【００１９】
モニタ用逆色変換部５６は、デバイス・インディペンデント画像データＸ1 Ｙ1 Ｚ1 を、カラーモニタ３０で使用されているＲＧＢ表色系のデバイス・ディペンデント画像データＲm Ｇm Ｂm に変換する。モニタ用鮮鋭度強調部５８は、このデバイス・ディペンデント画像データＲm Ｇm Ｂm に鮮鋭度強調処理を実行して、出力画像データＲm'Ｇm'Ｂm'を作成する。この出力画像データＲm'Ｇm'Ｂm'がカラーモニタ３０に与えられてカラー画像が表示される。
【００２０】
印刷用逆色変換部６０は、デバイス・インディペンデント画像データＸ1 Ｙ1 Ｚ1 を、フィルム出力機４０で使用されているＹＭＣＫ表色系（正確に言えば、フィルム出力機４０と刷版露光機と印刷機とを含む出力システムで使用されているＹＭＣＫ表色系）のデバイス・ディペンデント画像データＹp Ｍp Ｃp Ｋp に変換する。印刷用鮮鋭度強調部６２は、このデバイス・ディペンデント画像データＹp Ｍp Ｃp Ｋp に鮮鋭度強調処理を実行して、出力画像データＹp'Ｍp'Ｃp'Ｋp'を作成する。この出力画像データＹp'Ｍp'Ｃp'Ｋp'がフィルム出力機４０に与えられて製版フィルムが作成される。
【００２１】
ところで、この実施例においては、モニタ用鮮鋭度強調部５８における鮮鋭度強調処理が、印刷用鮮鋭度強調部６２における鮮鋭度強調処理の効果と等価な効果を与えるように調整されている。図２は、モニタ用鮮鋭度強調部５８における鮮鋭度強調パラメータの調整手順を示すフローチャートである。ステップＳ１では、標準カラーチャート原稿を、読取スキャナ１０で読み取る。カラーチャートとは、複数の標準的な色で塗られた正方形状のカラーパッチが縦横に規則正しく配列されているものである。なお、標準カラーチャート以外のカラー原稿を用いることも可能である。しかし、標準カラーチャートを使用すれば、カラーモニタ３０に表示されるカラー画像と、標準カラーチャートの印刷物との間の色や鮮鋭度の一致度を比較するのが容易であるという利点がある。
【００２２】
ステップＳ２では、標準カラーチャート原稿を読み取って得られた原画像データＲ0 Ｇ0 Ｂ0 に基づいて印刷物が作成される。すなわち、画像処理装置２０が原画像データＲ0 Ｇ0 Ｂ0 から出力画像データＹp'Ｍp'Ｃp'Ｋp'を作成し、フィルム出力機４０が出力画像データＹp'Ｍp'Ｃp'Ｋp'から製版フィルムを作成し、刷版露光機が製版フィルムから刷版を作成し、印刷機が刷版を用いてカラー印刷物を作成する。
【００２３】
ステップＳ３では、原画像データＲ0 Ｇ0 Ｂ0 に基づいてカラー画像がカラーモニタ３０に表示される。すなわち、画像処理装置２０が原画像データＲ0 Ｇ0 Ｂ0 から出力画像データＲm'Ｇm'Ｂm'を作成し、カラーモニタ３０がこの出力画像データＲm'Ｇm'Ｂm'に従ってカラー画像を表示する。
【００２４】
ステップＳ４では、作業者がカラーモニタ３０に表示されたカラー画像と印刷物とを比較し、両者の一致度を調べる。この際には、印刷物を所定の標準光の下で観察することが好ましい。
【００２５】
２つの画像の一致度が満足できるものでない場合には、ステップＳ５において、モニタ用鮮鋭度強調部５８のパラメータを修正する。ここで、鮮鋭度強調処理のパラメータについて説明する。図３は、鮮鋭度強調処理の内容を示す説明図である。図３（ａ）の原稿を矢印Ａの方向に走査すると、図３（ｂ）の原画像信号ＳM が得られる。図３（ｃ）に示すアンシャープ信号ＳU は、原画像信号ＳM を平均化することによって得られる。図３（ｄ）に示すアンシャープマスク信号ＳUMは、原画像信号ＳM からアンシャープ信号ＳU を減算することによって得られる。また、図３（ｅ）に示す強調後の画像信号ＳM'は、原画像信号ＳM とアンシャープマスク信号ＳUMとを加算することによって得られる。
【００２６】
図３（ｃ）に示すアンシャープ信号ＳU を求める際の平均化処理には、１次元または２次元の平均化マスク（平均化フィルタ）が使用される。この平均化マスクのサイズが鮮鋭度強調のパラメータの１つである。図３（ｃ−１）は、マスクサイズを変更した場合のアンシャープ信号ＳU の変化を示している。マスクを大きくするとアンシャープ信号ＳU はより緩やかになり、反対に、マスクを小さくするとアンシャープ信号ＳU はより急峻になる。
【００２７】
図３（ｄ）に示すアンシャープマスク信号ＳUMを求める際のゲインも、鮮鋭度強調のパラメータとなっている。図３（ｄ−１）は、アンシャープマスク信号のゲイン（「鮮鋭度強調処理のゲイン」とも呼ぶ）を変更した場合のアンシャープマスク信号ＳUMの変化を示している。この実施例では、プラス側のゲインとマイナス側のゲインとを別個に設定できる。すなわち、プラス側のゲインはアンシャープマスク信号ＳUMのプラス側の信号値を増幅し、マイナス側のゲインはアンシャープマスク信号ＳUMのマイナス側の信号値を増幅する。
【００２８】
図２のステップＳ５〜Ｓ３の処理を繰返し、マスクサイズと、プラス側のゲインと、マイナス側のゲインとを含む鮮鋭度強調処理パラメータを調節することによって、カラーモニタ３０に表示されたカラー画像の鮮鋭度を、印刷物の鮮鋭度に一致させることができる。この結果、色再現のみでなく鮮鋭度も一致させることができるので、２つの出力画像の画像再現の一致度を向上させることができる。
【００２９】
ところで、こうして鮮鋭度が調整された後に、印刷用鮮鋭度強調部６２における鮮鋭度処理のパラメータが変更されることも考えられる。パラメータ変換部６４は、このような場合に、印刷用鮮鋭度強調部６２のパラメータの変更に従って、モニタ用鮮鋭度強調部５８のパラメータを変更する機能を有する。
【００３０】
例えば、カラーモニタ３０用の出力画像データに対する鮮鋭度強調処理におけるマスクサイズＺｍと、印刷物用の出力画像データに対する鮮鋭度強調処理におけるマスクサイズＺｐとは、次の（１）式で関係付けられる。
Ｒｍ／Ｚｍ＝Ｒｐ／Ｚｍ    …（１）
ここで、Ｒｍはカラーモニタ３０の解像度［ｄｐｉ］、Ｒｐはフィルム出力機４０の解像度［ｄｐｉ］である。
【００３１】
上記（１）式は、各出力装置（カラーモニタ３０およびフィルム出力機４０）の出力画像データに適用されるアンシャープ信号ＳU の空間周波数特性（すなわちマスクサイズＺｍ，Ｚｐ）が、各出力装置の解像度Ｒｍ，Ｒｐ（線密度とも呼ばれる）に逆比例するように設定すればよいことを意味している。
【００３２】
この例から解るように、一般に、フィルム出力機４０の出力画像データに対する鮮鋭度強調処理パラメータと、カラーモニタ３０の出力画像データに対する鮮鋭度強調処理パラメータとにはかなり緊密な相関関係がある。従って、各パラメータに関して、このような相関関係をパラメータ変換部６４に予め設定しておけば、印刷用鮮鋭度強調部６２におけるパラメータの変更をモニタ用鮮鋭度強調部５８におけるパラメータの変更に反映することができる。従って、モニタ用鮮鋭度強調部５８と印刷用鮮鋭度強調部６２の鮮鋭度強調処理の効果を図２の手順に従って一度調整しておけば、その後に、印刷用鮮鋭度強調部６２におけるパラメータを変更しても、印刷用逆色変換部６０とモニタ用鮮鋭度強調部５８における鮮鋭度強調処理を互いに等価に保つことができる。
【００３３】
なお、図１に示す画像処理装置２０の各部は、ハードウェアあるいはソフトウェアのいずれによっても実現することができる。ソフトウェアで実現する場合には、コンピュータシステムのメインメモリに記憶されたソフトウェアプログラム（アプリケーションプログラム）をＣＰＵ（マイクロプロセッサ）が実行することによって各部の機能が実現される。このようなソフトウェアプログラムは、フロッピディスクやＣＤ−ＲＯＭ等の携帯型記憶媒体（可搬型記憶媒体）から、コンピュータシステムのメインメモリまたは外部記憶装置に転送されて記憶される。あるいは、通信回線を介してプログラム供給装置からコンピュータシステムに供給するようにしてもよい。
【００３４】
図４は、第２の実施例としての画像処理システムの構成を示すブロック図である。この画像処理システムは、図１におけるカラーモニタ３０を校正用カラープリンタ８０に置き換え、また、モニタ用逆色変換部５６を校正用逆色変換部７０に、モニタ用鮮鋭度強調部５８を校正用鮮鋭度強調部７２にそれぞれ置き換えたものである。
【００３５】
校正用逆色変換部７０は、デバイス・インディペンデント画像データＸ1 Ｙ1 Ｚ1 を、校正用カラープリンタ８０で使用されているＹＭＣＫ表色系のデバイス・ディペンデント画像データＹf Ｍf Ｃf Ｋf に変換する。校正用鮮鋭度強調部７２は、このデバイス・ディペンデント画像データＹf Ｍf Ｃf Ｋf に鮮鋭度強調処理を実行して、出力画像データＹf'Ｍf'Ｃf'Ｋf'を作成する。この出力画像データＹf'Ｍf'Ｃf'Ｋf'が校正用カラープリンタ８０に与えられてカラーの校正刷りが作成される。
【００３６】
第２実施例では、校正用カラープリンタ８０で作成される校正刷りの画像再現（色再現と鮮鋭度）を、印刷物の画像再現に合わせるように校正用逆色変換部７０と校正用鮮鋭度強調部７２が調整される。従って、色再現と鮮鋭度の一致度が共に高い校正刷りを作成することができる。
【００３７】
なお、この発明は上記の実施例や実施形態に限られるものではなく、その要旨を逸脱しない範囲において種々の態様において実施することが可能であり、例えば次のような変形も可能である。
【００３８】
（１）デバイス・インディペンデントな表色系（色空間）としては、ＣＩＥ−ＸＹＺ表色系の他に、ＣＩＥ−Ｌ* ａ* ｂ* 表色系やＣＩＥ−Ｌ* ｕ* ｖ* 表色系などを用いることが可能である。
【図面の簡単な説明】
【図１】この発明の第１実施例である画像処理システムの構成を示すブロック図。
【図２】モニタ用鮮鋭度強調部５８における鮮鋭度強調パラメータの調整手順を示すフローチャート。
【図３】鮮鋭度強調処理の内容を示す説明図。
【図４】第２の実施例としての画像処理システムの構成を示すブロック図。
【符号の説明】
１０…読取スキャナ
２０…画像処理装置
３０…カラーモニタ
４０…フィルム出力機
５２…色変換部
５４…階調変換部
５６…モニタ用逆色変換部
５８…モニタ用鮮鋭度強調部
６０…印刷用逆色変換部
６２…印刷用鮮鋭度強調部
６４…パラメータ変換部
７０…校正用逆色変換部
７２…校正用鮮鋭度強調部
８０…校正用カラープリンタ
【図１】
0003668313.tif 000002
【図２】
0003668313.tif 000003
【図３】
0003668313.tif 000004
【図４】
0003668313.tif 000005